(57)【特許請求の範囲】
【請求項１】
基台に対してテーブルを上下方向に昇降自在に取付け、基台にコード支持部材を取付け、該コード支持部材に立ち上がり部を設け、該立ち上がり部をテーブルが下降した状態でテーブルよりも外側方にずれた位置に配置し、該立ち上がり部を下降した状態のテーブル上面レベルとほぼ同じ高さとなった内側立ち上がり部と、内側立ち上がり部の上端から上に行くほどテーブルから離れる方向となるように斜め外上方に向けて傾斜した傾斜立ち上がり部と、傾斜立ち上がり部の上端から上方に向けて突出する外側立ち上がり部とで構成し、地上を這わせた電源コードを外側立ち上がり部の下部に支持し、該電源コードを外側立ち上がり部に沿って上方に沿設すると共に外側立ち上がり部の上部において支持し、該電源コードの一端部をテーブル側に設けた昇降用の駆動装置に接続し、テーブルが最も下降した状態で電源コードのコード支持部材の外側立ち上がり部の上部における支持部分とテーブル側の駆動装置との間の部分がほぼ弛みの無い状態となるように設定して成ることを特徴とする段差解消機。
【請求項２】
テーブルが最も上昇した状態で電源コードのコード支持部材の上部における支持部分とテーブル側の駆動装置との間の部分がほぼ弛みの無い状態となるように設定して成ることを特徴とする請求項１記載の段差解消機。
【発明の詳細な説明】
【０００１】
【発明の属する技術分野】
本発明は、テーブルの上昇、下降により、例えば人が乗った車椅子などの重量物を上下方向に移動させて段差を解消するための段差解消機に関するものである。
【０００２】
【従来の技術】
従来から基台に対してテーブルを上下方向に昇降自在に取付けた段差解消機が知られている。この段差解消機は、テーブルに人が乗った車椅子などの重量物を載せ、テーブルを昇降することで、目的とする高さにテーブルを移動させて車椅子などを運ぶようになっている。テーブルには昇降用の駆動装置が設けてあり、テーブル側に設けた駆動装置に電源コードにより電源を供給するようにしている。電源コードは地上に這わせてあり、テーブルが上昇した際に電源コードが上方に引っ張られて引き上げられるようになっており、このため、テーブルが下降した際には上記のようにテーブルが上昇した際に上方に引き上げられる分だけの余長が必要で、余長分が弛みとなり、テーブルが下降した際に電源コードの弛み部分がテーブルと基台との間やテーブルと設置面との間に挟まれて電源コードの被覆が破れて漏電したりするという問題がある。
【０００３】
【発明が解決しようとする課題】
本発明は上記の点に鑑みてなされたものであり、テーブルが下降した際に電源コードがテーブルと基台との間やテーブルと設置面との間に挟まれるのを簡単な構成で確実に防止して電源コードの損傷を防止できる段差解消機を提供することを課題とするものである。
【０００４】
【課題を解決するための手段】
上記課題を解決するために本発明に係る段差解消機は、基台１に対してテーブル２を上下方向に昇降自在に取付け、基台１にコード支持部材３を取付け、該コード支持部材３に立ち上がり部３ｂを設け、該立ち上がり部３ｂをテーブル２が下降した状態でテーブル２よりも外側方にずれた位置に配置し、該立ち上がり部３ｂを下降した状態のテーブル２上面レベルとほぼ同じ高さとなった内側立ち上がり部３ｂ１と、内側立ち上がり部３ｂ１の上端から上に行くほどテーブル２から離れる方向となるように斜め外上方に向けて傾斜した傾斜立ち上がり部３ｂ２と、傾斜立ち上がり部３ｂ２の上端から上方に向けて突出する外側立ち上がり部３ｂ３とで構成し、地上を這わせた電源コード４を外側立ち上がり部３ｂ３の下部に支持し、該電源コード４を外側立ち上がり部３ｂ３に沿って上方に沿設すると共に外側立ち上がり部３ｂ３の上部において支持し、該電源コード４の一端部をテーブル２側に設けた昇降用の駆動装置２６に接続し、テーブル２が最も下降した状態で電源コード４のコード支持部材３の外側立ち上がり部３ｂ３の上部における支持部分とテーブル２側の駆動装置２６との間の部分がほぼ弛みの無い状態となるように設定して成ることを特徴とするものである。このような構成とすることで、テーブル２を下降した場合、電源コード４のコード支持部材３の上部における支持部分とテーブル２側の駆動装置２６との間の部分が弛まず、テーブル２と基台１又はテーブル２と設置面５との間に電源コード４が挟持されないものである。また、テーブル２が下降した際に外側に位置し且つ下降した状態のテーブル２上面とほぼ同じ高さとなった内側立ち上がり部３ｂ１の外方位置で上方に突出している外側立ち上がり部３ｂ３の下部に地上を這わせた電源コード４を支持し、外側立ち上がり部３ｂ３に沿って上方に沿設すると共に外側立ち上がり部３ｂ３の上部において支持するので、電源コード４は外側立ち上がり部３ｂ３の下部から内側立ち上がり部３ｂ１の外方位置において設置面５に垂れ下がることになって、電源コード４がコード支持部３の上部から設置面５に対して斜めに垂れ下がったりせず、斜めに垂れ下がった電源コード４に足その他の物が引っ掛かったりするという事態が生じない。
【０００５】
また、テーブル２が最も上昇した状態で電源コード４のコード支持部材３の上部における支持部分とテーブル２側の駆動装置２６との間の部分がほぼ弛みの無い状態となるように設定することが好ましい。このような構成とすることで、テーブル２を上昇させた場合、電源コード４のコード支持部材３の上部における支持部分とテーブル２側の駆動装置２６との間の部分が弛まず、弛んだ部分が他の物に絡んだりすることがないものである。
【０００７】
【発明の実施の形態】
以下、本発明を添付図面に示す実施形態に基づいて説明する。
【０００８】
段差解消機６は基台１にテーブル２を上下方向に昇降自在に取付けて構成してある。添付図面に示す実施形態においては、図３に示すように、基台１の上方に基台１よりも少し平面視で大きいテーブル２を配置してあり、基台１とテーブル２とはＸリンク７により連結してある。Ｘリンク７は一対のリンク７ａ、７ｂの中間部分を軸７ｃで回動自在に軸支したもので、一方のリンク７ａの下端部を基台１に軸８ａにより回動自在に軸支してあり、該リンク７ａの上端部に設けたころのような走行部９ａをテーブル２に設けたテーブル側レール１０ａに走行自在に取付けてあり、他方のリンク７ｂの上端部をテーブル２に軸８ｂにより回動自在に軸支してあり、該リンク７ｂの下端部に設けたころのような走行部９ｂを基台１に設けた基台側レール１０ｂに走行自在に取付けてあり、後述の昇降装置１１によるテーブル２の昇降でＸリンク７の各走行部９ａ、９ｂがそれぞれテーブル側レール１０ａ、基台側レール１０ｂに沿って走行しながら基台１に対してテーブル２を支持した状態でテーブル２を昇降するようにしている。
【０００９】
テーブル２を上下方向に昇降させる昇降装置１１は、図６に示すように、基台１に立設したラック１２と、テーブル２側に設けたモータ２６ａや変速機２６ｂ等からなる駆動装置２６と、駆動装置２６により回転駆動されるピニオン１３とで構成してあり、ピニオン１３がラック１２に噛み合っており、駆動装置２６を正回転してピニオン１３を正回転することでテーブル２が昇降すると共に駆動装置２６を逆回転してピニオン１３を逆回転することでテーブル２が下降するようになっている。
【００１０】
モータ２６ａや変速機２６ｂ等からなる駆動装置２６はテーブル２の上面部に取付けた取付け金具１４に取付けてあり、この取付け金具１４には更にベアリングを内装した走行ガイドローラ１５が設けてあり、この走行ガイドローラ１５はラック１２のピニオン１３と噛合している面と反対側の面に当接するように配置してあり、ピニオン１４と走行ガイドローラ１５とでラック１２を両側から挟持した状態でピニオン１４がラック１２の歯列に噛み合いながら移動すると共に走行ガイドローラ１５がラック１２に当接しながら転動するようになっている。駆動装置２６や取付け金具１４等はテーブル２の上面部に上方に向けて突出して取付けた操作ボックス１６内に配設してあり、ラック１２もテーブル２を貫通して該操作ボックス１６内に挿通してある。操作ボックス１６にはテーブル２を上昇させたり、下降させたり、あるいはその他の操作を行わせたりするための操作部１７が設けてある。
【００１１】
基台１の一側部には図１乃至図５に示すようにコード支持部材３が取付けてある。コード支持部材３は一端部に固定部３ｃを設けた下横片３ａと、下横片３ａの他端部から上方に立ち上がった立ち上がり部３ｂとで構成してあり、固定部３ｃを基台１の一側部に固着具により固着して下横片３ａを基台１の外側方に向けて突出させ、テーブル２が下降した状態でテーブル２よりも外側方にずれた位置に立ち上がり部３ｂが位置するようにしてある。立ち上がり部３ｂは下降した状態のテーブル２の上面レベルとほぼ同じ高さとなった最下端部の内側立ち上がり部３ｂ１と、内側立ち上がり部３ｂ１の上端から上に行くほどテーブル２から離れる方向となるように斜め外上方に向けて傾斜した傾斜立ち上がり部３ｂ２と、傾斜立ち上がり部３ｂ２の上端から上方に向けて突出する外側立ち上がり部３ｂ３で構成してある。
【００１２】
内側立ち上がり部３ｂ１はテーブル２が下降した際にテーブル２の外端面との間に僅かな隙間（つまり内側立ち上がり部３ｂ１がテーブル２の昇降の支障にならない程度の隙間）が形成してあり、外側立ち上がり部３ｂ３はテーブル２が下降した際にテーブル２の外端面との間に比較的大きな隙間（テーブル２が下降した際に外側立ち上がり部３ｂ３と操作ボックス１６との間に電源コード４が入ることができる程度の隙間）が形成できるようにしてある。
【００１３】
テーブル２側に設けた駆動装置２６には電源コード４の一端部が接続してあり、この電源コード４の途中がコード支持部材３の立ち上がり部３ｂの上部（外側立ち上がり部３ｂ３の上部）に結束線や掴み部材や引っ掛け部材等の支持材１８により取付け支持してある。ここで、上記のようにコード支持部材３の立ち上がり部３ｂの上部に電源コード４の途中を支持し、テーブル２を最も下降した状態で図１、図２に示すように電源コード４のコード支持部材３の上部における支持部分（図１、図２においてイで示す）とテーブル２側の駆動装置２６との間の部分がほぼ弛みの無い状態となるように設定してあり、また、テーブル２が最も上昇した状態で図３、図４に示すように電源コード４のコード支持部材３の上部における支持部分イとテーブル２側の駆動装置２６との間の部分がほぼ弛みの無い状態となるように設定してある。
【００１４】
また、電源コード４は立ち上がり部３ｂの下部（外側立ち上がり部３ｂ３の下部）に支持材１８により取付け支持してある。電源コード４の上記立ち上がり部３ｂの上部における支持部分イと下部における支持部分ロとの間の部分が立ち上がり部３ｂ（外側立ち上がり部３ｂ３）に沿わせてあり、外側立ち上がり部３ｂ３の上下方向の略中間部分においても支持材１８により電源コード４を支持してある（中間部分における支持部分をハで示す）。そして、電源コード４は上記立ち上がり部３ｂの下部における支持部分ロから設置面５に沿わせてあり、この電源コード４の他端部がコンセントのような電源供給部側に接続してある。このように、電源コード４を上記立ち上がり部３ｂの下部における支持部ロから設置面５に沿わせるようにしているので、電源コード４がコード支持部材３の上部から設置面５に対して斜めに垂れ下がったりせず、斜めに垂れ下がった電源コード４に足その他の物が引っ掛かったりするという事態が生じないようになっている。
【００１５】
テーブル２の下面部の外周部には蛇腹状をした外周覆い部１９の上端部が取り付けてあり、外周覆い部１９の下端部は基台１に設けた取付け板（図示せず）や設置面５に取付けてあり、この外周覆い部１９はテーブル２の外周部と基台１の外周部との間の隙間を覆い隠すためのものであり、テーブル２が上昇した際には蛇腹状の外周覆い部１９が延び、テーブル２が下降した際には蛇腹状の外周覆い部１９が縮むようになっている。
【００１６】
しかして、上記のような構成の段差解消機６は図７、図８に示すように設置面５と、設置面５よりはレベルの高い上段面２０との段差を解消させるために使用されるものであり、設置面５の上段面２０側の端部に上記段差解消機６を設置するものである。
【００１７】
例えば、設置面５から上段面２０に人が車椅子に乗って移動する場合、テーブル２を下降させて図７の状態にし、この状態で設置面５からテーブル２上に車椅子で乗り込み、テーブル２に乗って操作部１７を操作することでテーブル２を図８のようにほぼ上段面２０と同じレベルとなるまで上昇させ、その後、テーブル２から上段面２０に車椅子で移動するものである。一方、上段面２０から設置面５に車椅子に乗って移動する場合にはテーブル２を上昇させて図８の状態にし、この状態で上段面２０からテーブル２上に車椅子で乗り込み、テーブル２に乗って操作部１７を操作することでテーブル２を図７のようにテーブル２を下降させ、その後、テーブル２から設置面５に車椅子で移動するものである。
【００１８】
ところで、上記のようにしてテーブル２を昇降するのであるが、テーブル２を最も下降させた場合、本発明においては図１、図２に示すように、電源コード４のコード支持部材３の上部における支持部分とテーブル２側の駆動装置２６との間の部分がほぼ弛みの無い状態となっており、この結果、テーブル２を下降させた場合に、テーブル２と基台１又はテーブル２と設置面５との間に電源コード４を挟持するというようなおそれがないものである。
【００１９】
また、テーブル２を最も上昇した状態では図３、図４に示すように、電源コード４のコード支持部材３の上部における支持部分とテーブル２側の駆動装置２６との間の部分がほぼ弛みの無い状態となっており、この結果、テーブル２を上昇させた場合、電源コード４のコード支持部材３の上部における支持部分とテーブル２側の駆動装置２６との間の部分が弛まず、弛んだ部分が他の物に絡んだりするというおそれがないものである。
【００２０】
ここで、添付図面に示す実施形態のように、テーブル２が下降した際にテーブル２の外端面と外側立ち上がり部３ｂ３との間にコード収納用の隙間２５を形成するものの場合、図１、図２のように電源コード４の一端部のテーブル２に設けた駆動装置２６への接続部とコード支持部材３の上部における支持部分とがコード支持部材３を正面から見た場合に正面視で前後に重なるような位置関係となっていても、テーブル２が下降した際に、電源コード４の駆動装置２６とコード支持部材３の上部との間の部分が上記コード収納用の隙間２５に収納されることになり、電源コード４がコード支持部材３の裏側に位置することになって、他の物が引っ掛かったりしないようにできるものである。もちろん、電源コード４の駆動装置２６への接続部とコード支持部材３の上部における支持部分とが図９のようにコード支持部材３を正面から見た場合に正面視で横方向にずれている場合であってもよいものである。この場合には必ずしもテーブル２が下降した際にテーブル２の外端面と外側立ち上がり部３ｂ３との間にコード収納用の隙間２５となる大きな隙間は必要ではない。
【００２１】
【発明の効果】
上記のように本発明の請求項１記載の発明にあっては、基台にコード支持部材を取付け、該コード支持部材に立ち上がり部を設け、該立ち上がり部をテーブルが下降した状態でテーブルよりも外側方にずれた位置に配置し、該立ち上がり部を下降した状態のテーブル上面レベルとほぼ同じ高さとなった内側立ち上がり部と、内側立ち上がり部の上端から上に行くほどテーブルから離れる方向となるように斜め外上方に向けて傾斜した傾斜立ち上がり部と、傾斜立ち上がり部の上端から上方に向けて突出する外側立ち上がり部とで構成し、地上を這わせた電源コードを外側立ち上がり部の下部に支持し、該電源コードを外側立ち上がり部に沿って上方に沿設すると共に外側立ち上がり部の上部において支持し、該電源コードの一端部をテーブル側に設けた昇降用の駆動装置に接続し、テーブルが最も下降した状態で電源コードのコード支持部材の外側立ち上がり部の上部における支持部分とテーブル側の駆動装置との間の部分がほぼ弛みの無い状態となるように設定してあるので、テーブルを下降した場合、電源コードのコード支持部材の上部における支持部分とテーブル側の駆動装置との間の部分が弛まず、この結果、簡単な構成でテーブルと基台又はテーブルと設置面との間に電源コードを挟持しないようにできて、電源コードの被覆が損傷したりして漏電するのを確実に防止できるものである。また、テーブルが下降した際に外側に位置し且つ下降した状態のテーブル上面とほぼ同じ高さとなった内側立ち上がり部の外方位置で上方に突出している外側立ち上がり部の下部に地上を這わせた電源コードを支持し、外側立ち上がり部に沿って上方に沿設すると共に外側立ち上がり部の上部において支持するので、電源コードは外側立ち上がり部の下部から内側立ち上がり部の外方位置において設置面に垂れ下がることになって、電源コードがコード支持部の上部から設置面に対して斜めに垂れ下がったりせず、斜めに垂れ下がった電源コードに足その他の物が引っ掛かったりするという事態が生じることがなく、電源コードが損傷するのをより確実に防止できるものである。
【００２２】
また、請求項２記載の発明にあっては、上記請求項１記載の発明の効果に加えて、テーブルが最も上昇した状態で電源コードのコード支持部材の上部における支持部分とテーブル側の駆動装置との間の部分がほぼ弛みの無い状態となるように設定してあるので、テーブルを上昇させた場合、電源コードのコード支持部材の上部における支持部分とテーブル側の駆動装置との間の部分が弛まず、弛んだ部分が他の物に絡んだりすることがなくて、テーブルの昇降に支障を生じたり、電源コードが損傷して漏電したりするのを防止することができるものである。
【図面の簡単な説明】
【図１】本発明の段差解消機の一実施例のテーブルの下降状態を示す側面断面図である。
【図２】同上のテーブルの下降状態を示す支持部材側から見た正面図である。
【図３】同上のテーブルの上昇状態を示す側面断面図である。
【図４】同上のテーブルの上昇状態を示す支持部材側から見た正面図である。
【図５】同上の平面図である。
【図６】同上の駆動装置を示し、（ａ）は正面図であり、（ｂ）は側面図である。
【図７】同上の段差解消機を設置した状態においてテーブルが下降した状態を示す説明図である。
【図８】同上の段差解消機を設置した状態においてテーブルが上昇した状態を示す説明図である。
【図９】本発明の段差解消機の他の実施例を示し、（ａ）はテーブルの下降状態を示す支持部材側から見た正面図であり、（ｂ）はテーブルの下降状態を示す支持部材側から見た正面図である。
【符号の説明】
１  基台
２  テーブル
３  コード支持部材
４  電源コード
【図１】
0003694247.tif 000002
【図２】
0003694247.tif 000003
【図３】
0003694247.tif 000004
【図４】
0003694247.tif 000005
【図５】
0003694247.tif 000006
【図６】
0003694247.tif 000007
【図７】
0003694247.tif 000008
【図８】
0003694247.tif 000009
【図９】
0003694247.tif 000010